(57)【要約】【課題】特別な部材を必要とせずに、電源コードに引っ張り力が加わった場合の電源コードの接続部に対する負荷印加を防止することが可能な火災警報器を提供する。【解決手段】本体３とカバーとで構成される筐体内に配置される電源回路基板４０に電源コード５０の接続部５１ａが固着される火災警報器において、本体３には、コード挿通孔３２が穿設されるとともに、本体３の内面３ａ側には規制リブ３３が立設され、電源回路基板４０に固着された電源コード５０が、規制リブ３３を迂回した後、コード挿通孔３２を介して本体３の表面３ｂ側に引き出されるようにした。【選択図】図６
2008033515.tif 000002
【特許請求の範囲】
【請求項１】
筐体内に配置される電源回路基板に電源コードの接続部が固着される火災警報器において、
前記筐体には、コード挿通孔が穿設されるとともに、前記筐体において前記コード挿通孔の形成面の内面側には規制リブが立設され、前記電源回路基板に固着された電源コードが、前記規制リブを迂回した後、前記コード挿通孔を介して前記筐体の表面に引き出されるようにしたことを特徴とする火災警報器。
【請求項２】
前記筐体は、本体とカバーからなり、前記規制リブは前記カバー直近まで延びるように前記本体に立設され、前記電源コードが前記筐体の表面側から内側へと押し込まれたとしても、前記電源コードが前記規制リブを迂回する形状を保つようにしたことを特徴とする請求項１記載の火災警報器。
【請求項３】
前記筐体は、本体とカバーからなり、前記規制リブは前記カバーに向けて延びるように前記本体に立設され、また、前記規制リブに間隔を空けて対向して整線リブが設けられ、前記規制リブと前記整線リブとの間に前記電源コードを挟むことにより前記電源コードを整線しながら、前記コード挿通孔から前記筐体の表面側に引き出すようにしたことを特徴とする請求項１記載の火災警報器。
【請求項４】
前記規制リブと前記整線リブは、前記カバー直近まで延びるように前記本体に立設されていることを特徴とする請求項３記載の火災警報器。
【請求項５】
前記筐体は、本体とカバーからなり、前記規制リブが前記カバーに向けて延びるように前記本体に立設されると共に、前記本体の前記規制リブの形成面側を前記カバーで覆った状態で取り付け面に取り付けられるものであり、前記本体の前記取り付け面側において前記コード挿通孔の周囲には水滴浸入防止用リブが立設され、また、前記電源コードは前記コード挿通孔から引き出される前の前記本体の前記内面側において下方に撓んだ撓み部を形成していることを特徴とする請求項１乃至請求項４の何れかに記載の火災警報器。
【発明の詳細な説明】
【技術分野】
【０００１】
本発明は、火災警報器に関し、特に電源コードの接続部分に引っ張り力が加わることを防止する構造を備えた火災警報器に関する。
【背景技術】
【０００２】
従来より、商用電源であるＡＣ電源から電源供給される火災警報器においては、ＡＣ電源コードがコード挿通孔を介して筐体内に引き込まれ、電源回路基板に固着されるようになっている（特許文献１参照）。筐体内に引き込まれたＡＣ電源コードは、電源回路基板にハンダ付けにより固着されているが、ＡＣ電源コードの引っ張り等によってハンダ付けした部分が外れることがあることから、一般的にはコード挿通孔とＡＣ電源コードとの隙間にＡＣ電源コードを覆うようにブッシング部材が圧入され、電源コードに加わった引っ張り力がハンダ付け部分に加わらないように構成されている。
【０００３】
【特許文献１】特開平１０−１２４７６９号公報
【発明の開示】
【発明が解決しようとする課題】
【０００４】
しかしながら、上記従来の構成では、ブッシング部材が必要となり、組立性に優れず、コストがかかるという問題があった。
【０００５】
本発明は、このような点に鑑みなされたもので、特別な部材を必要とせずに、電源コードに引っ張り力が加わった場合の電源コードの接続部に対する負荷印加を防止することが可能な火災警報器を提供する。
【課題を解決するための手段】
【０００６】
本発明に係る火災警報器は、筐体内に配置される電源回路基板に電源コードの接続部が固着される火災警報器において、筐体には、コード挿通孔が穿設されるとともに、筐体の内面において、コード挿通孔と電源回路基板に対する電源コードの接続部分との間には規制リブが立設され、電源回路基板に固着された電源コードが、規制リブを迂回した後、コード挿通孔を介して筐体の表面に引き出されるようにしたものである。
【０００７】
また、本発明に係る火災警報器は、筐体が、本体とカバーからなり、規制リブはカバー直近まで延びるように本体に立設され、電源コードが筐体の表面側から内側へと押し込まれたとしても、電源コードが規制リブを迂回する形状を保つようにしたものである。
【０００８】
また、本発明に係る火災警報器は、筐体が、本体とカバーからなり、規制リブはカバーに向けて延びるように本体に立設され、また、規制リブに間隔を空けて対向して整線リブが設けられ、規制リブと整線リブとの間に電源コードを挟むことにより電源コードを整線しながら、コード挿通孔から筐体の表面側に引き出すようにしたものである。
【０００９】
また、本発明に係る火災警報器は、規制リブと整線リブが、カバー直近まで延びるように本体に立設されたものである。
【００１０】
また、本発明に係る火災警報器は、筐体が、本体とカバーからなり、規制リブがカバーに向けて延びるように本体に立設されると共に、本体の規制リブの形成面側をカバーで覆った状態で取り付け面に取り付けられるものであり、本体の取り付け面側においてコード挿通孔の周囲には水滴浸入防止用リブが立設され、また、電源コードはコード挿通孔から引き出される前の本体の内面側において下方に撓んだ撓み部を形成しているものである。
【発明の効果】
【００１１】
本発明に係る火災警報器は、筐体内に配置される電源回路基板に電源コードの接続部が固着される火災警報器において、筐体には、コード挿通孔が穿設されるとともに、筐体の内面において、コード挿通孔と電源回路基板に対する電源コードの接続部分との間には規制リブが立設され、電源回路基板に固着された電源コードが、規制リブを迂回した後、コード挿通孔を介して筐体の表面に引き出されるようにしたので、電源コードに引っ張り力が加わった場合に、接続部に引っ張り力が伝わるのを防止できる。
【００１２】
また、本発明に係る火災警報器は、筐体が、本体とカバーからなり、規制リブはカバー直近まで延びるように本体に立設され、電源コードが筐体の表面側から内側へと押し込まれたとしても、電源コードが規制リブを迂回する形状を保つようにしたので、電源コードと電源回路基板との接続部に引っ張り力が加わるのを常に防止することができる。
【００１３】
また、本発明に係る火災警報器は、筐体が、本体とカバーからなり、規制リブはカバーに向けて延びるように本体に立設され、また、規制リブに間隔を空けて対向して整線リブが設けられ、規制リブと整線リブとの間に電源コードを挟むことにより電源コードを整線しながら、コード挿通孔から筐体の表面側に引き出すようにしたので、電源コードが、本体とカバーとを組み付ける際の邪魔になるのを防止することができる。
【００１４】
また、本発明に係る火災警報器は、規制リブと整線リブが、カバー直近まで延びるように本体に立設されたものであるので、電源コードに押し込み力が加わった場合に、電源コードが規制リブと整線リブとの間から外れるのを防止でき、電源コードが、本体とカバーとを組み付ける際の邪魔になるのを防止することができる。
【００１５】
また、本発明に係る火災警報器は、筐体が、本体とカバーからなり、規制リブがカバーに向けて延びるように本体に立設されると共に、本体の規制リブの形成面側をカバーで覆った状態で取り付け面に取り付けられるものであり、本体の取り付け面側においてコード挿通孔の周囲には水滴浸入防止用リブが立設され、また、電源コードが、コード挿通孔から引き出される前の本体の内面側において下方に撓んだ撓み部を形成しているので、仮に本体の取り付け面側に水滴が浸入したとしても、水滴浸入防止用リブと電源コードの撓み部とが好適に作用して、接続部に水滴が到達するのを防止することができる。
【発明を実施するための最良の形態】
【００１６】
図１ａは、火災警報器の正面図、図１ｂは、図１ａのＡ−Ａ線矢視断面図、図２は、火災警報器筐体２の背面図、図３は、カバー４の内面を示す平面図、図４は、図３に部品を配置した状態の平面図、図５は、本体３のカバー４との接続面３ａ側（内面側）を示す斜視図、図６は、図５に部品を配置した状態を示す斜視図である。
【００１７】
本実施の形態の火災警報器は、天井や壁面に設置される円形状のベース１と、背面側がベース１とツイストロック嵌合可能に形成された円形状の火災警報器筐体２（以下、筐体２という）とから構成されている。そして、筐体２は、本体３とカバー４とから構成されており、本体３の一方の面（後述の内面３ａ）をカバー４で覆った状態で、取り付け面となるベース１に取り付けられるようになっている。
【００１８】
図３に示すように、カバー４には、その内面側に、本体３とねじ留めするための４つのねじ穴４ａと、本体３に設けられた後述の２カ所の突出部３ｃに嵌合する溝部４ｂが設けられている。かかる構成のカバー４には、その内面側に、図４に示すように表面側に煙検出用の暗箱（不図示）が設けられたプリント基板１０やブザー用の圧電振動板２０が載置され、また、プリント基板１０は後述の電源回路基板４０にコネクタ（不図示）により電気的に接続されるようになっている。
【００１９】
図５に示すように、本体３には、電源回路基板４０を取り付けるための台座３１と、コード挿通孔３２とが設けられている。また、本体３の内面３ａ側（コード挿通孔３２の形成面の内面側）には略平板状の規制リブ３３が立設されている。規制リブ３３は、コード挿通孔３２と電源回路基板４０に対するＡＣ電源コード５０の接続部分（接続部５１ａ）との間に設けられている（図６）。そして、本体３には更に、コード挿通孔３２を挟むように、規制リブ３３に間隔を空けて対向して略平板状の整線リブ３４が立設されている。また、図２に示すように、本体３の表面３ｂにおいてコード挿通孔３２の周囲には、水滴浸入防止用リブ３２ａが突設されている。
【００２０】
このように構成された本体３に電源回路基板４０を組み付ける際には、図６に示すように、まず、ＡＣ電源コード５０がはんだ付けされた電源回路基板４０を、台座３１にねじ留めする。そして、ＡＣ電源コード５０を、規制リブ３３の側面を周方向に迂回させて湾曲させ、規制リブ３３と整線リブ３４との間を通して整線しながらコード挿通孔３２を介して本体３の表面３ｂ側に引き出す。このように、ＡＣ電源コード５０を直線的にコード挿通孔３２に導くのではなく、規制リブ３３を迂回させるようにしたことで、ＡＣ電源コード５０に引っ張り力が加わった場合に、その引っ張り力が規制リブ３３の側面端部３１ａによって受け止められ、ＡＣ電源コード５０の電源回路基板４０との接続部５１ａに加えられるのを防止することができる。
【００２１】
なお、ＡＣ電源コード５０に対する引っ張り力は、本体３に垂直な方向に加わる場合もあれば、本体３の面方向に加わる場合もある。本体３に垂直な方向の引っ張り力に対しては、規制リブ３３の側面端部３１ａがその力を受け止め、また、本体３の面方向の引っ張り力に対しては、規制リブ３３の側面端部３１ａとコード挿通孔３２の内周面の両方がその力を受け止めることとなり、何れの方向から引っ張られたとしても、電源回路基板４０との接続部分（接続部５１ａ）に引っ張り力が加わるのを阻止することができる。
【００２２】
また、本体３に設けられた規制リブ３３は、カバー４直近まで延びるように立設されている（図１ｂ）。これにより、ＡＣ電源コード５０に対し、筐体２の表面３ｂ側から内側へと押し込む力が加わったとしても、ＡＣ電源コード５０を、規制リブ３３の側面を迂回する形状に保つことができる。すなわち、逆にカバー４までの高さが低いと、ＡＣ電源コード５０に押し込み力が加わった場合、規制リブ３３を迂回しなくなる可能性がある。その状態で引っ張り力が加わった場合、ＡＣ電源コード５０の電源回路基板４０との接続部５１ａに引っ張り力が加わってしまう可能性がある。しかしながら、本例では上述のように規制リブ３３がカバー４直近まで延びる構成としたので、これを防止することができる。
【００２３】
また、整線リブ３４も、規制リブ３３と同様にカバー４直近まで延びるように立設されている（図１ｂ）。これにより、規制リブ３３と整線リブ３４と本体３の内面３ａとによって形成される空間内に、常にＡＣ電源コード５０が収まった状態とすることができる。これにより、仮にＡＣ電源コード５０に押し込み力が加わった場合に、規制リブ３３と整線リブ３４との間から外れて、ＡＣ電源コード５０がねじ挿通孔３ｄの方に撓むなどしてねじ留めができなくなるのを防止することができる。
【００２４】
ここで、本体３の内面３ａとＡＣ電源コード５０との位置関係の詳細を説明すると、ＡＣ電源コード５０は、図６に示すように、電源回路基板４０の本体３との対向面にはんだ付けされて接続された後、接続部５１ａから上方向（天井方向）に向かって本体３の内面３ａに接触し、そして、規制リブ３３と整線リブ３４との間を通され、ＡＣ電源コード５０の張力により一旦、下方向に撓んで撓み部５１ｂを形成した後、コード挿通孔３２に向かって上向きの状態となってコード挿通孔３２から引き出されるようになっている。
【００２５】
このようにＡＣ電源コード５０が引き回されることにより、水滴侵入防止の観点から以下の効果がある。すなわち、まず、本体３の表面３ｂ側に設けられた水滴浸入防止用リブ３２ａによって本体３の表面３ｂ側から内面３ａ側に水が侵入するのが防止される。そして、コード挿通孔３２を介して仮に水滴が浸入したとしても、撓み部５１ｂや、ＡＣ電源コード５０の規制リブ３３または整線リブ３４との接触部分に滴下するので、接続部５１ａまで水滴が到達することはない。
なお、図６では、上記本体３の内面３ａとＡＣ電源コード５０との位置関係の詳細を説明するために、ＡＣ電源コード５０を実際の幅よりも小さい幅で表してある。実際には、図１ｂに示すように、ＡＣ電源コード５０の幅は規制リブ３３と整線リブ３４との間隔とほぼ同等の幅である。
【００２６】
ここで、以上のように構成された火災警報器の組み立て手順について説明する。
まず、カバー４の内面に、表面側に煙検出用の暗箱（不図示）が設けられたプリント基板１０やブザー用の圧電振動板２０を載置する。そして、上述のようにして本体３に電源回路基板４０を装着するとともに、ＡＣ電源コード５０をコード挿通孔３２から引き出す作業を行う。そして、プリント基板１０と電源回路基板４０とをコネクタ（不図示）により電気的に接続する。その後、カバー４の周面に設けた溝部４ｂに、本体３の周面に設けた突出部３ｃを嵌合させることによりカバー４と本体３とを位置決めし、そして、４個のねじ６０を本体３のねじ挿通孔３ｄを介してカバー４のねじ穴４ａに螺合して固定し筐体２を組み立てる。そして、筐体２をベース１に対してツイストさせてベース１にロックする。
【００２７】
以上説明したように、本実施の形態によれば、ＡＣ電源コード５０を規制リブ３３を迂回させてコード挿通孔３２から引き出すようにしたので、接続部５１ａに引っ張り力が伝わるのを防止できる。また、単に規制リブ３３を立設した構造であるため、構成も単純である。さらに、規制リブ３３を、カバー４直近まで延びるように本体３に立設するようにしたので、ＡＣ電源コード５０が押し込まれても、規制リブ３３を迂回した形状を保つことができ、接続部５１ａに対する引っ張り力の伝達を防止することができる。
【００２８】
また、整線リブ３４を設けてＡＣ電源コード５０を規制リブ３３との間で整線した状態でコード挿通孔３２に導くようにしたので、ＡＣ電源コード５０が本体３をカバー４に組み付ける際の邪魔になるのを防止することができる。
【００２９】
また、整線リブ３４も、カバー４直近まで延びるように本体３に立設するようにしたので、仮にＡＣ電源コード５０に押し込み力が加わった場合に、ＡＣ電源コード５０が規制リブ３３と整線リブ３４との間から外れてねじ挿通孔３ｄの方に撓み、ねじ留めができなるといった不都合を防止することができる。
【００３０】
また、仮に本体３の表面３ｂに水滴が浸入したとしても、本体３の表面３ｂ側に設けた水滴浸入防止用リブ３２ａとＡＣ電源コード５０の引き回しの形状とが好適に作用して、接続部５１ａまで水滴が到達するのを防止することができる。
【図面の簡単な説明】
【００３１】
【図１ａ】火災警報器の正面図である。
【図１ｂ】図１ａのＡ−Ａ線矢視断面図である。
【図２】火災警報器筐体の背面図である。
【図３】カバーの内面を示す平面図である。
【図４】図３に部品を配置した状態の平面図である。
【図５】本体のカバーとの接続面側を示す斜視図である。
【図６】図５に部品を配置した状態を示す斜視図である。
【符号の説明】
【００３２】
１  ベース
２  筐体
３  本体
３ａ  内面
３ｂ  表面
３ｃ  突出部
３ｄ  ねじ挿通孔
４  カバー
４ａ  ねじ穴
４ｂ  溝部
１０  プリント基板
２０  圧電振動板
３１  台座
３２  コード挿通孔
３２ａ  水滴浸入防止用リブ
３３  規制リブ
３４  整線リブ
４０  電源回路基板
５０  電源コード
５１ａ  接続部
５１ｂ  撓み部
６０  ねじ
【図１ａ】
2008033515.tif 000003
【図１ｂ】
2008033515.tif 000004
【図２】
2008033515.tif 000005
【図３】
2008033515.tif 000006
【図４】
2008033515.tif 000007
【図５】
2008033515.tif 000008
【図６】
2008033515.tif 000009